(57)【特許請求の範囲】
【請求項１】
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
掛止手段の凹部又は孔が天面形成部に形成されており、該凹部又は孔の内側の辺が内方に向かって湾曲する円弧形状に形成されていることを特徴とする電子レンジ加熱用容器。
【請求項２】
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
天面形成部に排熱孔を形成した排熱孔形成部が、天面形成部と該天面形成部と連設する一方の立面形成部との間の折曲線に両端が接し中間部分が天面形成部側に突出して、容器組立時に開口する第１排熱孔形成部と、天面形成部の中途位置に形成された第２排熱孔形成部とからなることを特徴とする電子レンジ加熱用容器。
【請求項３】
第２排熱孔形成部が、無端状に連続せずに１又は複数個所に非切断部を有する切抜線からなって容器組立後に予め開口することなく、容器の内部が一定以上の過加熱状態による容器の反りまたは第２排熱孔形成部の部位の収縮に伴って変形し自動的に開口して放熱しうることを特徴とする請求項２に記載の電子レンジ加熱用容器。
【請求項４】
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
発熱体が、ブランクの原紙の上に部分的にアルミ箔層を配置し、その上にアルミ蒸着層とＰＥＴ層とを積層してなることを特徴とする電子レンジ加熱用容器。
【請求項５】
ブランクが、天面形成部と、一方の立面形成部と、底面形成部と、他方の立面形成部とをそれぞれ折曲線を介して連接してなり、
底面形成部に、突片形状の切抜線を形成し、該切抜線で囲まれた部分を脚部形成片とし、該脚部形成片を底面形成部から折り曲げて脚部とすると共に、折り曲げられた脚部形成片により開口した箇所を穴としてなり、
掛止手段が、天面形成部の端縁部と組立時に天面形成部の先端と掛止められる他方の立面形成部の端縁部とのいずれか一方に形成された掛止片部と、いずれか他方に形成されて前記掛止片部を交差した状態で掛止可能な凹部又は孔とからなっていることを特徴とする請求項１から４のいずれかに記載の記載の電子レンジ加熱用容器。
【発明の詳細な説明】
【技術分野】
【０００１】
この発明は、食品を電子レンジのマイクロ波により加熱したり焦げ目を付けたりして加熱調理するためのシートを用いた容器（サセプター台紙）の改良に関する。
【背景技術】
【０００２】
電子レンジから発生するマイクロ波により発熱する発熱体（サセプター）を使用し、食品を焼成することによって電子レンジ加熱では困難とされる焼き目やクリスピーな（カリッとした）食感を食品に発生させる技術は知られており、現在まで、ピザやフライドポテト，唐揚げ，焼き魚や切り身用などに利用されている（実開平１−８２８２９号公報、特開２００６−７５６１７号公報、特開２００８−６２９９０号公報など）。
【０００３】
しかし、上記のような構成では、以下の問題点がある。
（１）加熱後の食材、特に魚の切り身が底面側の台紙の発熱体に付着しやすく、底面側の発熱体から魚を持ち上げると身崩れを起こしやすい。魚が西京漬や粕漬などの場合は特に顕著になる。
（２）切り身などの食材から出たドリップが発熱体上に残り、加熱により固化するため、食材と発熱体との付着の促進、風味の劣化の発生の要因になる。
（３）底面側の台紙の発熱体が、電子レンジ底面に接しており、ターンテーブル式の電子レンジの場合、上方からマイクロ波が照射されるため、底面側の発熱体にマイクロ波が十分に当たらず、発熱しにくい。
（４）切り身によっては、トレーに置いた時の高さ方向の厚みや横方向の幅が異なったり、部位によっては、脂ののりも異なってくる。このため、加熱される切り身部分の体積の差、脂の含有量の差により、焼き上がりにムラが発生する。
（５）台紙による容器組立形状を拘束するロック機構として、一方の台紙の外縁中央にコ字状の切欠を形成し、他方の台紙の外縁で切欠に対応する個所に一対の切込線を入れ前記切欠に掛止められる掛止片を形成しており、中央一か所で掛止められるため、加熱により特に強く反る魚身の場合、反りによって加熱体の端を持ち上げてしまい、加熱効果が落ちる。また加熱後の魚の見た目も悪くなる。
（６）電子レンジの機種によってマイクロ波の照射方向、集中するポイントが異なり、発熱体の部分部分で強弱が生まれるため、電子レンジの違いや容器の置き場所により焼き目に差が発生する。
そこで、本出願人は、食材を収納した容器の底面側の発熱体にもマイクロ波があたるようにすると共に、食材から滴下するドリップを容器の外へ排出させ、また容器内の不要な蒸気を排出することができる電子レンジ加熱用容器を提供するため、特願２０１０−２７３０７１を提案した。
本出願人は、更に、鋭意研究の結果、容器内部の温度の加熱を最適に行えるようにした電子レンジ加熱用容器の発明を創案するに至った。
【先行技術文献】
【特許文献】
【０００４】
【特許文献１】特開平９−４００３１号公報
【特許文献２】特開２００１−１９０６２号公報
【発明の概要】
【発明が解決しようとする課題】
【０００５】
この発明の主たる課題は、食材を収納した容器の底面側の発熱体にもマイクロ波があたるようにすると共に、食材から滴下するドリップを容器の外へ排出させ、また容器内の温度を過加熱させることなく適切に行いながら不要な蒸気、熱を排出することができる電子レンジ加熱用容器を提供することにある。
この発明の別の課題は、容器内の食材に対して部分的に加熱の調整が行えるようにした電子レンジ加熱用容器を提供することにある。
この発明の更に別の課題は、容器の側方の立面の一方又は双方を折り曲げて容器の高さを低く調整することができる電子レンジ加熱用容器を提供することにある。
【課題を解決するための手段】
【０００６】
この発明は、上記課題を解決するために、請求項１の発明では、
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
掛止手段の凹部又は孔が天面形成部に形成されており、該凹部又は孔の内側の辺が内方に向かって湾曲する円弧形状に形成されていることを特徴とする。
請求項２の発明では、
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
天面形成部に排熱孔を形成した排熱孔形成部が、天面形成部と該天面形成部と連設する一方の立面形成部との間の折曲線に両端が接し中間部分が天面形成部側に突出して、容器組立時に開口する第１排熱孔形成部と、天面形成部の中途位置に形成された第２排熱孔形成部とからなることを特徴とする。
請求項３の発明では、
第２排熱孔形成部が、無端状に連続せずに１又は複数個所に非切断部を有する切抜線からなって容器組立後に予め開口することなく、容器の内部が一定以上の過加熱状態による容器の反りまたは第２排熱孔形成部の部位の収縮に伴って変形し自動的に開口して放熱しうることを特徴とする。
請求項４の発明では、
内面に発熱体を設けたブランクを折り曲げて筒状に組立てられる容器の底面に脚部を形成して容器を中空に保持すると共に、該容器の底面に食材のドリップを流下させ、又は不要な蒸気、熱を排出するための穴を設け、
前記ブランクを筒状に組み立てる際に、ブランクの両端の端縁部に設けた一対の掛止部が上下に平行に重ならないように交差して掛け止められる掛止手段を設けてなる電子レンジ加熱用容器において、
発熱体が、ブランクの原紙の上に部分的にアルミ箔層を配置し、その上にアルミ蒸着層とＰＥＴ層とを積層してなることを特徴とする。
請求項５の発明では、
ブランクが、天面形成部と、一方の立面形成部と、底面形成部と、他方の立面形成部とをそれぞれ折曲線を介して連接してなり、
底面形成部に、突片形状の切抜線を形成し、該切抜線で囲まれた部分を脚部形成片とし、該脚部形成片を底面形成部から折り曲げて脚部とすると共に、折り曲げられた脚部形成片により開口した箇所を穴としてなり、
掛止手段が、天面形成部の端縁部と組立時に天面形成部の先端と掛止められる他方の立面形成部の端縁部とのいずれか一方に形成された掛止片部と、いずれか他方に形成されて前記掛止片部を交差した状態で掛止可能な凹部又は孔とからなっていることを特徴とする。
【発明の効果】
【０００７】
この発明は、以下のような特有の効果を奏することができる。
（１）容器に脚部を付け、容器の底面を中空に保持すると共に容器の底面に穴を開けたことにより、容器底面と電子レンジ底面の間に形成された隙間にマイクロ波が入り、前記穴から容器内にも入り込むので、ターンテーブル式の電子レンジでも底面側の発熱体に直接マイクロ波が当たり、発熱させることができる。
また、容器底面の穴から魚の切り身や肉などの焼くことでドリップの出る食材のドリップを落下させて、切り身と発熱体との付着や風味の劣化を防ぐことができ、更に余分な蒸気を排出させて、焼き目の発生を促進することができる。
更に、掛止部が上下に平行に重ならないように交差して掛け止められるので、重なった面の過加熱を防止し、適切に加熱することができる
（２）底面形成部に脚部形成片を設けることで、脚部形成片を折り曲げるだけで脚部と穴とを同時に形成することができる。
また、一対の掛止手段を掛止片部と凹部又は孔の組合せとして、簡単な構成により交差状に掛止めることができる。
（３）天面形成部に、排熱孔を設けることで容器内で過加熱となっても上方へ放熱することができる。
（４）掛止手段の凹部を円弧形状とすることで、掛止片部の掛止が容易となり、掛止後には排熱孔の１つとして用いることができる。
（５）天面形成部に排熱孔形成部を設けることで、容器に組み立てると同時に排熱孔を容易に形成することができる。
（６）排熱孔が排熱孔形成部からなっており、容器組立時に開口する第１排熱孔形成部と、第２排熱孔形成部とからなっており、第２排熱孔形成部は、組立後に適宜に全部又は一部を開口してもよいし、開口せずに一定以上の加熱時に変形して開口するものでもよく、適切な放熱を図ることができる。
（７）発熱体にアルミ箔の構成を加えることで、アルミ箔によるアンテナ効果を利用してマイクロ波を制御することにより、発熱体を均一に発熱させることができる。
【図面の簡単な説明】
【０００８】
【図１】電子レンジ加熱用容器の展開図である。
【図２】（ａ）は電子レンジ加熱用容器の組立状態を示す斜視図、（ｂ）は底面から見た斜視図である。
【図３】食品の収納を示す天面を開けた状態の斜視図である。
【図４】側面図である。
【図５】電子レンジ加熱用容器の発熱体の構造を示す断面図で（ａ）はＰＥＴ／アルミ蒸着層を用いた構造、（ｂ）はＰＥＴ／アルミ箔を用いた構造、（ｃ）はＰＥＴ／アルミ蒸着層／アルミ箔を用いた構造を示す断面図である
【図６】異なる実施例の電子レンジ加熱用容器の展開図である。
【図７】（ａ）は切取りガイド線を設けた部分平面図、（ｂ）は穴を拡げた状態の底面から見た部分斜視図である。
【図８】ガイド線に沿って立面を折り曲げた状態の説明図であり（ａ）は折曲げ前の断面図、（ｂ）は一方、（ｃ）は双方を折り曲げた状態の断面図である。
【図９】別の実施例を示す電子レンジ加熱用容器の斜視図である。
【発明を実施するための形態】
【０００９】
以下に、この発明の電子レンジ加熱用容器の好適実施例について図面を参照しながら説明する。
【実施例１】
【００１０】
本実施例の電子レンジ加熱用容器１は、図１〜図４に示すように、内面に発熱体１１を設けた１枚のブランク２を折り曲げて角筒状に組立てられる容器であって、前記ブランク２は、略矩形のシートからなり、天面形成部３と、一方の立面形成部４と、底面形成部５と、他方の立面形成部６とを、それぞれ折曲線Ｌ１〜Ｌ３を介して連接した構成からなっている。
【００１１】
本実施例で、容器１は、図２に示したように断面矩形の角筒状（箱形）の場合を例示したが、断面形状は上記実施例に限定されず、任意の多角形状、円形・楕円形状、半円形・半楕円形状などであってもよい。
【００１２】
［天面形成部］
天面形成部３は略長方形状からなっており、長手方向の端縁側にブランク２の折り曲げ姿勢を拘束する掛止手段の一方、図示例では掛止受部３０が、１又は複数(図示例では２つ）設けられている。
掛止受部３０は、天面形成部３の端縁部に沿って穿設された略円弧状の凹部からなっているが、凹部の開口側を塞いで後述の掛止片部４０を下から挿入可能なほぼ同形状とした孔であってもよい。
【００１３】
該掛止受部３０は、先端の開口部から内側（天面形成部３の中央）に向かって切り欠かれており、その両側の辺の中途位置に開口幅を狭めるように突出する一対の突部３１が形成されており、該突部３１の奧側の裾野部分に掛止用のスリット３２が形成されている。
そして、前記スリット３２間を結ぶように内側に湾曲する円弧状の辺３３が形成されている。
【００１４】
また、天面形成部３には、排熱孔が設けられている。
前記掛止受部３０も平板状の掛止片部４０を掛け止めた後に円弧状の辺３３で囲まれた排熱孔として機能しうるが、本実施例では更に第１排熱孔形成部７と、第２排熱孔形成部１２とが形成されている。
【００１５】
［第１排熱孔形成部］
第１排熱孔形成部７は、天面形成部３と該天面形成部３と連設する立面形成部４との間の折曲線Ｌ１に両端が接し中間部分が天面形成部３側に突片状、図示例では略円弧状に形成された切抜線９からなっている。
従って、容器組立時に、天面形成部３を立面形成部４に対して折曲線Ｌ１に沿って直角に折り曲げることで第１排熱孔形成部７は切抜線９で囲まれた部分が立面１４と一連に延びる略円弧状の突片１７（後述の脚部形成片８と同様の突片）となって天面１３に対して直交し、天板１３上に排熱孔７ａを開口することができる（図２参照）。
【００１６】
［第２排熱孔形成部］
第２排熱孔形成部１２は、天面形成部３の中途位置に形成された切抜線からなっており、図示例では、円弧状等の突片状の切抜線１２ａと、該突片状の切抜線の両端間を結ぶ線で、前記円弧状の切抜線の両端と離間した位置に両端が設けられた切抜線１２ｂとからなっており、図示例では略半円状に形成されている（図２参照）が、この発明では、無端状に連続せずに１又は複数個所に非切断部を有するものであればよく、その全体形状は特に限定されない。なお、切抜線１２ａは、角がなく、湾曲している方が好ましい。
【００１７】
第２排熱孔形成部１２は、図示例の場合、天面形成部３の長手方向の中央を通る中心線に対して、円弧状の切抜線が中心線を向くように左右対称に配置したが、この配置は特に限定されず、任意の向きに配置してもよい。
また、長手方向に一列に並べたが、複数列やジグザグ状、散点状などの適宜配置にしてもよい。
第２排熱孔形成部１２は、容器組立後に適宜に全部又は一部を切り抜いたり折り曲げて開口してもよいが、開口せずにそのままとしておいてもよい。
あらかじめ開口しておかない場合には、容器の内部がある一定以上の過加熱状態になると第２排熱孔形成部１２が（ＰＥＴの収縮や原紙の反りに起因する）容器の反り、第２排熱孔形成部１２の部位の収縮に伴い、変形して自動的に開口し、放熱することができる。 
【００１８】
［一方の立面形成部］
一方の立面形成部４は幅狭な長方形状で、図示例では天面形成部３に対して長手方向の両端が短く設定されて、第１の折曲線Ｌ１を介して前記天面形成部３と連設されている。
ここで第１の折曲線Ｌ１は、点線状の切目（全切り線又は半切り線）からなっているが、切目でなくても折り曲げのガイドとなるものであればよい。
図示例で立面形成部４は、組立時の高さ方向の中間位置に前記第１の折曲線Ｌ１と平行に厚み調整折り線Ｇ２が設けられている。
厚み調整折り線Ｇ２は１本設けられているが、複数本を平行に設けて、適宜に折り曲げ用のガイド線を選択し折曲げ高さを調整しうるようにしてもよい。
【００１９】
［底面形成部］
底面形成部５は、一方の縁部が第２の折曲線Ｌ２を介して前記立面形成部４と連設されており、他方の縁部が第３の折曲線Ｌ３を介して他方の立面形成部６と連設されている。
底面形成部５は、前記天面形成部３と対峙するように天面形成部３と同じ略矩形状からなっている。
ここで、底面形成部５の長手方向の長さは天板形成部３と同じであるが、短手方向の長さは、天面形成部３の第１の折曲線Ｌ１から掛止用のスリット３２までの長さに対応している。
【００２０】
［脚部形成片］
そして、前記第２の折曲線Ｌ２と接するように脚部形成片８が複数（図示例では４つ）形成され、同様に第３の折曲線Ｌ３と接するように脚部形成片８が複数（図示例では４つ）形成されている。
即ち、底面形成部５の左右の縁部側には脚部形成片８を囲むように略円弧状の切抜線９が形成されており、該切抜線９は中央側に向かって塞がり両端が開放されている。
【００２１】
そして、切抜線９の開放された端部間には第２又は第３の折曲線Ｌ２、Ｌ３は形成されず、その外側に形成される。
上記構成は前記第１排熱孔形成部７の切抜線と同様である。
脚部形成片８は突片であればよくその形状は特に限定されないが、脚部１８となった際に電子レンジの室内で起立しうるよう脚部１８の先端が同一面上に揃うように形成されていればよい。
また、脚部形成片８は平面形状に限らず、折り曲げてもよい。
【００２２】
前記底面形成部５に形成された左右一対の脚部形成片８は、折曲線Ｌ２、Ｌ３を介さず立面形成部４、６と一連となっている。
これにより、前記折曲線Ｌ２、Ｌ３に沿って立面形成部４、６と底面形成部５とを折り曲げると、脚部形成片８は底面形成部５と共に折れ曲がらずに立面形成部４、６の延長上に延びて容器の底面に対して直角となる一対の脚部１８となる（図２（ｂ）参照）。
【００２３】
そして、該脚部形成片８が抜けた個所は底面１５に形成される穴１０'となる。
前記底面形成部５には、前記穴１０'とは別に複数の穴１０（１０個）が縦横に略等間隔に配置されている（図２（ｂ）参照）。
本実施例では、穴１０は予め穿設されているが、穴の配置に沿って穴の形状に沿った点線状の切抜線を形成しておき、必要な個所の切抜線を切り取って穴１０を開口するようにしてよい（図示せず）。
【００２４】
［他方の立面形成部］
他方の立面形成部６は一方の立面形成部４と同じ形状で、第３の折曲線Ｌ３を介して前記底面形成部５と連設されている。
ここで第３の折曲線Ｌ３は、点線状の切目からなっているが、切目でなくても折り曲げのガイドとなるものであればよい。
上記他方の立面形成部６は、前記一方の立面形成部４と同様に、組立時の高さ方向の中間位置に前記第３の折曲線Ｌ３と平行に、１又は複数本（図示例では１本）の厚み調整折り線Ｇ３が設けられている。
この発明では、厚み調整折り線Ｇ２、Ｇ３はいずれも設けなくてもよいし、設ける場合もいずれか一方だけでもよい。また、厚み調整折り線Ｇ２、Ｇ３は、スリットでも、押し罫でも、ミシン目でもよい。
【００２５】
[掛止片部]
他方の立面形成部６には、ブランク２の折り曲げ姿勢を拘束する掛止手段の他方、本実施例では掛止片部４０が前記他方の立面形成部６の端縁部に一体に連接して外方へ延びている。
該掛止片部４０は、図示例の場合、先端４１が幅広で基端４２となる他方の立面形成部６の端縁部側が幅狭となる略梯形状からなっている。
【００２６】
本実施例では、掛止片部４０は掛止受部３０に対応して左右に２つ設けられている。
これにより、底面形成部５の両端の第２折曲線Ｌ２及び第３折曲線Ｌ３に沿って、それぞれ立面形成部４及び６を直角に折り曲げて直立させ、更に第１折曲線Ｌ１に沿って天面形成部３を直角に折り曲げて水平にし、直立した掛止片部４０を水平の掛止受部４０内で円弧状に辺３３に向かって押し込み、力を解放すると掛止片部４０が平面状に復帰すると共に、その左右の幅狭な基部４２がスリット３２に嵌合し、交差した状態で掛け止められてロックされ、容器１が箱形姿勢に組み立てられる。
【００２７】
［発熱体］
発熱体１１は、マイクロ波によって発熱する別体の発熱シートを、ブランク２の内面の一部又は全部に貼り付ける構成、またはブランク２の内面の一部又は全部にマイクロ波によって発熱する発熱層を積層形成するものでもよい。
例えばブランク２の上下に対向する面（天面形成部３と底面形成部５と）に発熱体１１を設ける構成や、ブランク２の内面全域に形成するなど適宜に形成することができる。立面１４、１６に発熱体１１を設けることによって、食品の側面（特に皮面）もカリッと焼くことができる。
【００２８】
図５に一例を示す発熱体１１は、ブランク２の原紙２ａ上に積層された構造を示す。
図５（ａ）では、原紙２ａの上にアルミ蒸着層１１ａが積層され、その上にＰＥＴ層１１ｂが積層され、マイクロ波を透過させて発熱させる構造からなっている。
図５（ｂ）では、原紙２ａの上に過加熱を防ぐセグメント状のアルミ箔層１１ｃを配置し、その上にＰＥＴ層１１ｂが積層されて、加熱を抑制しながら加熱する構造からなっている（特開２００６−７５６１７号参照）。
図５（ｃ）では、原紙２ａの上にセグメント状のアルミ箔層１１ｃを配置し、その上にアルミ蒸着層１１ａとＰＥＴ層１１ｂとを積層して、発熱と均一加熱を同時に実現する構成からなっている。基層は、原紙に限定されず、樹脂でもよい。
この発明では発熱体１１の構造については上記実施例に限定されず、公知の発熱体を用いることができる。
【００２９】
［組立方法］
図２に示すように、ブランク２の天面形成部３と底面形成部５とが上下に平行となる天面１３と底面１５となり、一対の立面形成部４，６が略垂直に立ち上がって立面１４、１６となるように、折曲線Ｌ１〜Ｌ３を折り曲げて、角筒形状とする。
この折り曲げに伴って、底面１５に形成された脚部形成片８が脚部１８となって底面１５を中空に保持する。
同様に、天板１３に形成された第１排熱孔形成部７が突片となって起立し、切り抜かれた開口が排熱孔７ａとなる。
【００３０】
また、前述のように天面１３の掛止受部３０に、立面１６の掛止片部４０を嵌め込むと交差状に掛止められて、容器１を箱形姿勢にロックすることができる。
これにより掛止手段の掛止片部４０と掛止受部３０とが二重に重なり合うことがないので、過加熱を防止することができる。
また、食材の厚みに応じて、立面１４、１６の厚み調整折り線Ｇ２、Ｇ３を外向きに折り曲げることで、容器１の高さを低く設定することができる。
【００３１】
また、一方の立面のガイド線だけを折り曲げれば、天面１３が傾斜面となり、厚い部分と薄い部分とからなる食材であってもほぼ均等に加熱することができる（図８参照）。
【実施例２】
【００３２】
図６に示す電子レンジ加熱用容器１は、掛止受部３０と掛止片部４０をそれぞれ１つ設けた場合の異なる実施例を示す。
ここで、掛止受部３０と掛止片部４０とはロック強度を高めるために長さを長くしている。
その他の構成は前記実施例１と同様であるので、同一構成には同一符号を付して、説明を省略する。
【実施例３】
【００３３】
図７に示す電子レンジ加熱用容器１は、底面形成部５に形成された多数の穴１０群において、所定の穴１０と穴１０との間を繋ぎ、開口面積の大きな開口を形成することができる切取ガイド線Ｇ４が形成されている。加熱されやすい部分に接する底面に、より大きな開口を形成することにより、接触面積が減り、さらに周りの発熱体自体も減るため、過加熱を防ぎ、均一な焦げ目をつけることができる。
従って、広い穴が必要な場合には、前記穴１０と穴１０との間の切取ガイド線Ｇ４に沿って底面形成部５を切り取ることができ、所望の広さの開口２０を形成することができる。
図示例で切取ガイド線Ｇ４はコ字状に延びる点線状の切目からなっており、該切目に沿って切り離し底面形成部５に対して直角に折り曲げることで、脚部１８を形成し、同時に脚部１８が抜けた切取ガイド線Ｇ４に囲まれた個所が穴１０'となる。
その他の構成は前記実施例１又は２と同様であるので、その説明を省略する。
【実施例４】
【００３４】
図９に示す電子レンジ加熱用容器１は、前記実施例の掛止手段とは逆に、天板１３の端縁部に掛止片部４０'を突設し、立面１６に掛止受部３０'を設けている。
これによっても、掛止片部４０'と掛止受部３０'とは二重に重なり合うことがない。
また、排熱孔形成部１２'は、予め穿設された開口１２'を示す。
排熱孔形成部７'は、組立後に全部又は任意の突片１７を折り曲げて開口７ａ'を形成するようにしてもよい。
【００３５】
また、天面と底面をひっくり返し、上記排熱孔形成部７'１２'は、図２（ｂ）に示す底面１５の穴１０や１０'に代えて用いることもできる（図示せず）。
この場合、折り曲げられた突片１７は脚部１８として利用することができる。  さらに、立面形成部の端縁部を脚部１８として利用することもできる。
【００３６】
本実施例では、脚部１８は、１つの穴１０'に対して外側に１つ設けたが、１つの穴１０'の左右に一対に設けてもよい。
また、脚部の形状は電子レンジの室内で起立しうる形状であればよく、脚部１８の先端が同一面上に揃うようになっていればどのような形状でもよい。
【００３７】
その他、この発明は上記実施例に限定されるものではなく、この発明の要旨を変更しない範囲で種々設計変更しうる。
【符号の説明】
【００３８】
１    電子レンジ加熱用容器
２    ブランク
３    天面形成部
４    一方の立面形成部
５    底面形成部
６    他方の立面形成部
７    第１排熱孔形成部
７ａ  排熱孔
８    脚部形成片
９    切抜線
１０    穴
１１    発熱体
１２    第２排熱孔形成部
１２ａ  排熱孔
１３    天面
１４    立面
１５    底面
１６    立面
１７    突片凸片
１８    脚部
３０    掛止受部
３２    スリット
３３    円弧状の辺
４０    掛止片部
Ｌ１〜Ｌ３  第１〜第３の折曲線
Ｇ２、Ｇ３  厚み調整折り線
Ｇ４    切取ガイド線
【図１】
0005745316.tif 000002
【図２】
0005745316.tif 000003
【図３】
0005745316.tif 000004
【図４】
0005745316.tif 000005
【図５】
0005745316.tif 000006
【図６】
0005745316.tif 000007
【図７】
0005745316.tif 000008
【図８】
0005745316.tif 000009
【図９】
0005745316.tif 000010